(57)【特許請求の範囲】
【請求項１】
一方の部材の端部にもう一方の部材の端部をねじ込んで各部材を相互につなぎ合わせる連結構造であって、
前記一方の部材に螺旋軌道を有する短尺のねじ山部を設け、前記もう一方の部材に前記ねじ山部の側壁部に係合して前記一方の部材につなぎ合わせる中実状のリブを設け、
前記一方の部材に、前記ねじ山部との相互間で係合領域を形成するとともに、該係合領域に前記リブが侵入する際に該リブの下縁に接触し、該リブの通過時点において該リブが離反することでクリック感を誘発させる中実状の突起を設けたことを特徴とする連結構造。
【請求項２】
前記ねじ山部は、前記リブと係合する本体部分と、この本体部分の先端に設けられ、該リブを前記本体部分へ向けて誘導するガイド部と、該本体部分の末端に設けられ、前記リブの先端部に当接して前記本体部分に対する位置決めを行うストッパーを有する、請求項１記載の連結構造。
【発明の詳細な説明】
【技術分野】
【０００１】
本発明は、連結構造に関するものであり、二つの部材をその端部においてワンタッチで確実につなぎ合わせようとするものである。
【背景技術】
【０００２】
シャンプーやリンス、洗剤、消臭除菌剤あるいは化粧品、あるいは飲料等を入れる容器等において使用されるキャップは、容器の口頚部に形成されたねじ部に係合するねじ部をもったねじ込みタイプのキャップが適用されているのが普通である。
【０００３】
ところで、従来のこの種のキャップは、ねじ込みに際しては数回にわたる回転が必要であることからその操作が面倒であり、この点に関してはワンタッチで確実に装着できる、特許文献１に開示されているようなキャップが知られている。
【０００４】
しかしながら、かかるキャップにおいては、キャップ（瓶蓋）の内側に設けられたボスが乗り越える返り止め突起の摩耗度合いが大きく部材相互間の連結強度が低下するのが避けられないうえ、連結が完了した際に誘発されるクリック感（突起を乗り越える際のカクンとなる感覚をいう。）も早期のうちに消失してしまう不具合があってキャップが確実に装着されたどうか把握し難いところに問題を残していた。
【先行技術文献】
【特許文献】
【０００５】
【特許文献１】実公昭５２−５６２９３号公報
【発明の概要】
【発明が解決しようとする課題】
【０００６】
本発明の課題は、部材をワンタッチで確実につなぎ合わせることができ、しかもクリック感を長期にわたって誘発させることができる連結構造を提案するところにある。
【課題を解決するための手段】
【０００７】
本発明は、一方の部材の端部にもう一方の部材の端部をねじ込んで各部材を相互につなぎ合わせる連結構造であって、
前記一方の部材に螺旋軌道を有する短尺のねじ山部を設け、前記もう一方の部材に前記ねじ山部の側壁部に係合して前記一方の部材につなぎ合わせる中実状のリブを設け、
前記一方の部材に、前記ねじ山部との相互間で係合領域を形成するとともに、該係合領域に前記リブが侵入する際に該リブの下縁に接触し、該リブの通過時点において該リブが離反することでクリック感を誘発させる中実状の突起を設けたことを特徴とする連結構造である。
【０００８】
上記の連結構造においては、ねじ山部を、リブと係合する本体部分と、この本体部分の先端に設けられ、該リブを前記本体部分へ向けて誘導するガイド部と、該本体部分の末端に設けられ、前記リブの先端部に当接してねじ山部との位置決めを行うストッパーとから構成するのが望ましい。
【発明の効果】
【０００９】
ねじ山部に係合するリブは係合領域内に収まる際にその後端部のみが突起に接触するものであって、突起の突出端（上面）を乗り超えるような構造のものに比較して早期摩耗は起こりにくく、クリック感が長期にわたって維持される。
【００１０】
ねじ山部のストッパーにリブを突き当てることにより該リブの本体部分に対する位置決めがなされるため部材相互の確実な連結が可能となる。
【００１１】
本体部分の先端にガイド部を設け、該ガイド部によりリブを誘導することでねじ山部の本体部分に確実に係合させることが可能であり部材を簡単な操作でつなぎ合わせることができる。
【図面の簡単な説明】
【００１２】
【図１】本発明にしたがう連結構造を押圧ヘッドを備えたポンプ付き容器に適用した例を示した図である。
【図２】図１に示した容器の要部の外観斜視図である。
【図３】ねじ山部とリブと突起の関係を示した図である。
【発明を実施するための形態】
【００１３】
以下、ポンプ式の吐出器を備えた内容器を外容器に組み入れ、該内容器を肩カバーを介して外容器に固定保持する場合を例にとって説明する。なお、この例において、一方の部材を外容器とし、もう一方の部材を肩カバーとする。
【００１４】
図１における１は、内容物を充填した内容器、２は内容器１の口部にベースキャップを介して固定保持された吐出器である。この吐出器２は、押圧ヘッド２ａを繰り返し押し込むことによりステムを介してポンプを駆動させることができるようになっている（ポンプは内容器１の内部に配置されており、図示されていない。）。
【００１５】
また、３は、内容器１を内側に収める外容器である。この外容器３は、内容器１の底壁の下側に位置する底壁３ａと、この底壁３ａの縁部から立ち上がり内容器１の胴部を取り囲む周壁３ｂとから構成されている。周壁３ａの上端には内容器１を挿入する開口部３ａ１が設けられていて、その内側壁には、内容器１の胴部に設けられた段付き部１ｂの下側面を当接させる座部３ａ２が形成されている。
【００１６】
４は、外容器３の周壁３ｂの内側（開口部３ａ１の近傍域）に局所的に設けられた短尺のねじ山部である。このねじ山部４は、螺旋軌道を有するものであり、その外観斜視図を図２に示すように、対向する位置にも一つ設けてあり二つで一組みとした例として示してある。このねじ山部４は、後述するリブと係合する本体部分（ねじ部分）４ａと、この本体部分４ａの先端に設けられ、該リブを本体部分４ａへ向けて誘導するガイド部４ｂと、本体部分４ａの末端に設けられ、リブの先端部に当接して本体部分４ａに対する位置決めを行うストッパー４ｃから構成されている。ガイド部４ｂは、水平凸部４ｂ１と、この水平配置になる凸部４ｂ１及び本体部分４ａをつなぎ該本体部分４ａよりも傾斜度合いを大きくした傾斜凸部４ｂ２にて構成することができる。
【００１７】
５は、内容器１の肩部を取り囲み、外容器３へのねじ込みによって相互につなぎ合わせることを可能とした筒状の肩カバーである。この肩カバー５は、内容器１のベースキャップに取り付けられたガイド部材６（押圧ヘッド２ａを上下に移動させる際のガイド部材）の外側壁がその内側壁に当接し、その下端部５ａは、内容器１の段付き部１ｂの上側面に突き当たっている。この肩カバー５の下端部５ａと外容器３の座部３ａ２によって内容器１の段付き部１ｂが挟み込まれ、これによって内容器１が外容器３内に固定される。
【００１８】
７は、肩カバー５の外周壁部に９０°間隔で４つ設けられたリブである（図２参照。４つの１つは影に隠れるため図示せず。）。このリブ７は、ねじ山部４と同等の角度あるいは近似する角度をもって傾斜しており（ねじ山部４と同じかあるいは類似する螺旋軌道をもつように斜めに配置されている。）ものであって、ねじ山部４の本体部分４ａの側壁部に係合しその際に生じる面圧で肩カバー５と外容器３をつなぎ合わせる。
【００１９】
また、８は、外容器３の開口部３ａ１でその周壁３ｂの内側に一体的に設けられた突起である（図２参照）。この突起８は、図３にその要部を拡大して示すように、ねじ山部４のガイド部４ｂの直下に間隔（受け入れ間口）ｔを隔てて設けられていて、肩カバー５を外容器３の開口部３ａ１にねじ込で連結する際に、この突起８とガイド部４ｂの相互間を通してリブ７が斜めに向いた状態で侵入（リブ７は、突起８とガイド部４ｂとで挟み込まれる状態にある。）して該リブ７がねじ山部４の本体部分４ａに係合する。さらに９は押圧ヘッド２ａを内側に収めガイド部材６の外周壁に着脱可能に嵌合するオーバーキャップである。突起８は一つあればよいが、ねじ山部４の設置数に合わせて複数設けておくことでクリック感のより一層の明瞭化を図ることができる。
【００２０】
突起８は、突端部における形状はとくに問われるものではないが、リブ７が斜め向きの状態で突起８とガイド部４ｂとの相互間を通して係合領域内（突起とねじ山部とによって囲まれた領域）に侵入する際に該リブ７の下縁に接触して摺動させ得ることができる出っ張り代ｅを有するものが適用される。これによりリブ７が突起８から離反したときにクリック感、クリック音あるいはその両方を誘発させることができる（クリック感はカクンという感覚的なものであり、クリック音はカッチという音をいうが、以下、音を発する場合を含めここでは単にクリック感ということとする。）。このクリック感によって肩カバー５が外容器３に確実につながったかどうか把握することが可能となる。肩カバー５を外容器３から切り離すべくリブ７とねじ山部４との係合を解除する場合においても同様のクリック感が誘発されることとなり、このクリック感によって肩カバー５と外容器３の連結が解除されたかどうかも明瞭に把握することが可能となる。
【００２１】
リブ７がねじ山部４の本体部分４ａへ係合する具体的な状況を図３の仮想線で示す。リブ７がねじ山部４に係合する際の初期段階では、まず、リブ７の先端部がガイド部４ｂに突き当たる（このとき、リブ７は突起８には接触していない。）。そして該リブ７は本体部分４ａに接触、摺動しつつストッパー４ｃに向けてスライドしてゆき、該リブ７の全てが係合領域の中に入り込む直前で初めて該リブ７の後端部が突起８が接触し、その接触が解除（接触部位が離反）されることによってクリック感が誘発され、リブ７が完全に係合領域内に入り込んだところで該リブ７がねじ山部４において位置決めされて係合状態におかれる。リブ７の傾斜度合いやガイド４ｃの傾斜角度によってリブ７のガイド４ｃにおける接触部位は変化するものであって、図示のような接触状態に限定されるものではない。
【００２２】
リブ７とねじ山部４との相互間で生じる面圧が十分に高い場合には、ストッパー４ｃにリブ７の先端部が当たることなしに位置決めがなされることとなり、この場合にはストッパー４ｃは省略してもよい。
【００２３】
本発明の連結構造は、ねじ山部４と、リブ７と、突起８とによって連結構造を構成することによって、つなぎ合わせるべき部材を極わずかに回動させるだけ（ワンタッチ）で各部材の連結と解除が可能となりその操作が極めて簡単であり、しかも、クリック感が明瞭に把握できるので連結状態にあるか、あるいは連結が解除された状態にあるか確実に把握できることになる。
【００２４】
リブ７は、その側壁が突起８の突端部に当接して摺動するため、該突起８とリブ７との相互間における摩耗度合いは比較的小さく、長期にわたってクリック感を得ることができる。
【００２５】
本発明の実施の形態では、連結すべき部材を肩カバー５と外容器３を対象として連結構造を構成する場合について説明したが、該連結構造は、容器の口頚部と、この口頚部に装着されて該容器を密封状態に保持するキャップに適用することも勿論可能であり、肩カバー５と外容器３とをつなぐ場合に限定されることはない。
【００２６】
また、本発明では、ねじ山部４を対向位置に二つ設けた場合について示したが、該ねじ山部４の数はとくに限定されない。ねじ山部４は短尺のものを適用することで部材の回動角度を小さくすることができるので操作性を改善することが可能であるが、その長さは連結すべき部材の種類に応じて適宜変更することができる。
【００２７】
受け入れ間口ｔも連結すべき部材の種類等に応じて適宜変更することが可能であり、この場合、ガイド部４ｂの形状や長さあるいは角度を適宜変更すればよい。
【産業上の利用可能性】
【００２８】
極僅かに回動させるだけの簡単な操作で確実に部材をつなぎ合わせることが可能（ワンタッチによる連結と切り離し）であり、しかも、クリック感により連結完了（あるいは解除）されたかどうか長期にわたって明瞭に把握し得る連結構造が提供できる。
【符号の説明】
【００２９】
１      内容器
１ａ    口部
２      吐出器
２ａ    押圧ヘッド
３      外容器
３ａ    底壁
３ｂ    周壁
４      ねじ山部
４ａ    本体部分
４ｂ    ガイド部
５      肩カバー
５ａ    下端部
６      ガイド部材
７      リブ
８      突起
９      オーバーキャップ
【図１】
0005523857.tif 000002
【図２】
0005523857.tif 000003
【図３】
0005523857.tif 000004